(57)【要約】【課題】ＩＣタグの無線性能への影響を従来より低減させることが可能であると共に、ＩＣタグを容易に装着することが可能なＩＣタグホルダを提供する。【解決手段】本発明のＩＣタグホルダ１０では、ＩＣタグ９０をタグ収容枠１１内に収容し、そのタグ収容枠１１の対向辺間に差し渡されたフロント支柱１４及びリア支柱１５にてＩＣタグ９０を前後方向Ｚで挟持している。この構成により、従来のＩＣタグホルダのようにＩＣタグの後面全体に対して密着するものより、ＩＣタグ９０との密着部分を減らすことができ、無線性能への影響を従来より低減させることが可能になる。しかも、タグ挿入スリット１３の案内により、ＩＣタグ９０をタグ収容枠１１内に装着することができるので、ＩＣタグ９０の装着作業を従来より容易に行うことができる。【選択図】図１
2008191968.tif 000002
【特許請求の範囲】
【請求項１】
カード形のＩＣタグを四方から囲むと共に前記ＩＣタグの前面及び後面を前後方向で露出した状態にして収容可能なタグ収容枠と、
前記ＩＣタグにて管理される管理対象物に前記タグ収容枠を取り付けるための取付部と、
前記タグ収容枠の一辺に貫通形成され、前記ＩＣタグを前記タグ収容枠の側方から前記タグ収容枠内に挿入するためのタグ挿入スリットと、
前記タグ収容枠内で前記ＩＣタグを前記前後方向で挟持すると共に、そのＩＣタグにおける挿入方向の終端部を前記タグ挿入スリットに対して前記前後方向でずらした位置に保持する複数のタグ前後保持部材とを備え、それら複数のタグ前後保持部材は、前記タグ収容枠の対向辺間に差し渡された支柱、又は、前記タグ収容枠から内側に張り出して前記ＩＣタグの縁部のみに対向するタグ縁部対向突壁の何れか又はそれらの両方で構成されていることを特徴とするＩＣタグホルダ。
【請求項２】
前記タグ挿入スリットに対向した前記支柱を前記タグ前後保持部材として設け、
前記支柱のうち前記ＩＣタグとの対向部分を、傾斜面を有した先細り形状としかつ、その傾斜面を、前記ＩＣタグの先端部に摺接して前記ＩＣタグを前記タグ収容枠内の収容位置に案内する案内面に兼用したことを特徴とする請求項１に記載のＩＣタグホルダ。
【請求項３】
前記ＩＣタグの前面側の前記タグ前後保持部材を、前記タグ縁部対向突壁のみで構成したことを特徴とする請求項１又は２に記載のＩＣタグホルダ。
【請求項４】
前記取付部は、前記タグ収容枠又は前記タグ前後保持部材から後方に突出し、前記管理対象物に固定されて前記タグ収容枠を前記管理対象物から離した位置に保持可能な取付支持脚で構成されたことを特徴とする請求項１乃至３の何れかに記載のＩＣタグホルダ。
【請求項５】
前記ＩＣタグホルダは、前記管理対象物に備えられて互いに対向した１対のホルダ取付壁の間に受容され、
前記取付部は、前記ＩＣタグホルダを前記１対のホルダ取付壁の間に受容する過程で弾性変形した後、弾性復元して前記１対のホルダ取付壁に係止する弾性係止部材で構成されたことを特徴とする請求項１乃至４の何れかに記載のＩＣタグホルダ。
【発明の詳細な説明】
【技術分野】
【０００１】
本発明は、カード形のＩＣタグを保持しかつ、そのＩＣタグにて管理される管理対象物に取り付け可能なＩＣタグホルダに関する。
【背景技術】
【０００２】
従来のこの種のＩＣタグホルダとして、図１５に示すように四角形に陥没したカード収容凹部２の開口縁に複数の係止突起３を備えた構造のものが知られている。このものでは、ＩＣタグ４の４辺をカード収容凹部２の奥壁２Ａと係止突起３との間に挟んだ状態にして、ＩＣタグ４がＩＣタグホルダに保持されていた（例えば、特許文献１参照）。
【特許文献１】特開平９−２５４９８３号公報（段落［００１８］〜［００２０］、第３図）
【発明の開示】
【発明が解決しようとする課題】
【０００３】
しかしながら、上記した従来のＩＣタグホルダは、カード収容凹部２の奥壁２Ａのうち一部の孔等を除いた全体がＩＣタグ４の後面全体に密着する構成であったため、ＩＣタグ４の無線性能が低下する事態が生じ得た。また、ＩＣタグ４をカード収容凹部２内に装着する作業が困難であった。
【０００４】
本発明は、上記事情に鑑みてなされたもので、ＩＣタグの無線性能への影響を従来より低減させることが可能であると共に、ＩＣタグを容易に装着することが可能なＩＣタグホルダの提供を目的とする。
【課題を解決するための手段】
【０００５】
上記目的を達成するためになされた請求項１の発明に係るＩＣタグホルダは、カード形のＩＣタグを四方から囲むと共にＩＣタグの前面及び後面を前後方向で露出した状態にして収容可能なタグ収容枠と、ＩＣタグにて管理される管理対象物にタグ収容枠を取り付けるための取付部と、タグ収容枠の一辺に貫通形成され、ＩＣタグをタグ収容枠の側方からタグ収容枠内に挿入するためのタグ挿入スリットと、タグ収容枠内でＩＣタグを前後方向で挟持すると共に、そのＩＣタグにおける挿入方向の終端部をタグ挿入スリットに対して前後方向でずらした位置に保持する複数のタグ前後保持部材とを備え、それら複数のタグ前後保持部材は、タグ収容枠の対向辺間に差し渡された支柱、又は、タグ収容枠から内側に張り出してＩＣタグの縁部のみに対向するタグ縁部対向突壁の何れか又はそれらの両方で構成されているところに特徴を有する。
【０００６】
請求項２の発明は、請求項１に記載のＩＣタグホルダにおいて、タグ挿入スリットに対向した支柱をタグ前後保持部材として設け、支柱のうちＩＣタグとの対向部分を、傾斜面を有した先細り形状としかつ、その傾斜面を、ＩＣタグの先端部に摺接してＩＣタグをタグ収容枠内の収容位置に案内する案内面に兼用したところに特徴を有する。
【０００７】
請求項３の発明は、請求項１又は２に記載のＩＣタグホルダにおいて、ＩＣタグの前面側のタグ前後保持部材を、タグ縁部対向突壁のみで構成したところに特徴を有する。
【０００８】
請求項４の発明は、請求項１乃至３の何れかに記載のＩＣタグホルダにおいて、取付部は、タグ収容枠又はタグ前後保持部材から後方に突出し、管理対象物に固定されてタグ収容枠を管理対象物から離した位置に保持可能な取付支持脚で構成されたところに特徴を有する。
【０００９】
請求項５の発明は、請求項１乃至４の何れかに記載のＩＣタグホルダにおいて、ＩＣタグホルダは、管理対象物に備えられて互いに対向した１対のホルダ取付壁の間に受容され、取付部は、ＩＣタグホルダを１対のホルダ取付壁の間に受容する過程で弾性変形した後、弾性復元して１対のホルダ取付壁に係止する弾性係止部材で構成されたところに特徴を有する。
【発明の効果】
【００１０】
［請求項１の発明］
請求項１のＩＣタグホルダでは、タグ収容枠の一辺に貫通形成されたタグ挿入スリットを通してＩＣタグがタグ収容枠に収容される。また、タグ収容枠内でＩＣタグは複数のタグ前後保持部材により前後方向（ＩＣタグの厚さ方向）で挟持されると共に、ＩＣタグの終端部がタグ挿入スリットに対して前後方向でずれた位置に保持される。これらにより、タグ収容枠内の縦、横、前後の全ての方向でＩＣタグの移動が規制される。ここで、ＩＣタグを前後方向で挟持する複数のタグ前後保持部材は、タグ収容枠の対向辺間に差し渡された支柱、又は、タグ収容枠から内側に張り出してＩＣタグの縁部のみに対向するタグ縁部対向突壁の何れか又はそれらの両方で構成されているので、従来のＩＣタグホルダのようにＩＣタグの後面全体に密着するものより、ＩＣタグに対する密着部分を減らすことができ、無線性能への影響を従来より低減させることが可能になる。しかも、タグ挿入スリットの案内により、ＩＣタグをタグ収容枠内に装着することができるので、ＩＣタグの装着作業を従来より容易に行うことができる。
【００１１】
［請求項２の発明］
請求項２の構成によれば、タグ前後保持部材としての支柱のうちＩＣタグとの対向部分が先細り形状になっているので、ＩＣタグと支柱との接触面積を少なくすることができる。そして、その先細り形状にするための傾斜面が、ＩＣタグに摺接して収容位置に案内する案内面を兼ねているので、ＩＣタグのタグ収容枠内への挿入が容易になる。
【００１２】
［請求項３の発明］
請求項３の構成によれば、ＩＣタグの前面側のタグ前後保持部材がタグ縁部対向突壁のみで構成されているので、ＩＣタグの中央部全体がタグ収容枠の前方に開放する。これにより、タグ収容枠にＩＣタグを収容した状態でそのＩＣタグの中央部に情報を記入することができる。
【００１３】
［請求項４の発明］
請求項４の構成によれば、取付支持脚によりタグ収容枠を管理対象物から離間させることができ、ＩＣタグの無線性能の影響を低減させることができる。
【００１４】
［請求項５の発明］
請求項５の構成によれば、ＩＣタグホルダを管理対象物における１対のホルダ取付壁の間に押し込むだけで、弾性係止部材が弾性変形を乗り越えてホルダ取付壁に係止し、ＩＣタグホルダが管理対象物に取り付けられる。
【発明を実施するための最良の形態】
【００１５】
［第１実施形態］
以下、本発明の一実施形態を図１〜図６に基づいて説明する。本実施形態のＩＣタグ９０は、図１に示されており、ＲＦＩＤ（Ｒａｄｉｏ  Ｆｒｅｑｕｅｎｃｙ  Ｉｄｅｎｔｉｆｉｃａｔｉｏｎ）とも呼ばれ、情報と共に電力を無線で受け、それに対して情報を無線返信する。その無線の周波数帯域は、例えば、８６０〜９６０［Ｍｈｚ］のＵＨＦ帯域が使用されている。また、このＩＣタグ９０は、可撓性に富んだ四角形のフィルム回路基盤９１に、例えば、コイルアンテナ９２とＩＣチップ９３と実装して樹脂フィルム９４でラミネートしてなり、全体が横長のカード形状になっている。
【００１６】
本実施形態のＩＣタグホルダ１０は、ＩＣタグ９０を四方から囲むことが可能な横長のタグ収容枠１１を備えている。タグ収容枠１１は、均一幅の帯状板１１Ａを長方形に屈曲させた形状になっており、帯状板１１Ａの幅、即ち、タグ収容枠１１の厚さｗ１は、ＩＣタグホルダ１０の厚さｔ１に比べて十分に大きくなっている。以下、ＩＣタグ９０及びタグ収容枠１１において、長手方向でもある横方向を「横方向Ｘ」、短手方向でもある縦方向を「縦方向Ｙ」、厚さ方向でもある前後方向を「前後方向Ｚ」と呼ぶこととする。
【００１７】
タグ収容枠１１のうち一方の短辺を構成する短辺構成壁１２Ｌには、本発明に係るタグ挿入スリット１３が形成されている。タグ挿入スリット１３は、短辺構成壁１２Ｌにおける縦方向Ｙの略全体に亘って延び、タグ収容枠１１の内外に貫通している。そして、このタグ挿入スリット１３を通してＩＣタグ９０をタグ収容枠１１の側方から内部に挿入することができる（図６参照）。また、図３に示すようにタグ挿入スリット１３内で対向した１対のスリット内面１３Ｎ，１３Ｎは、タグ収容枠１１の内側に向かうに従って徐々に間隔が狭くなっており、これによりＩＣタグ９０をタグ挿入スリット１３に容易に挿入することができる。
【００１８】
図１に示すように、タグ収容枠１１のうち縦方向Ｙで対向した１対の対向辺間には、本発明の「タグ前後保持部材」としてのフロント支柱１４とリア支柱１５とが複数本ずつ差し渡されている。それらのうちフロント支柱１４は、タグ収容枠１１の前端寄り位置に配置されて、横方向Ｘに複数並べられている。一方、リア支柱１５は、タグ収容枠１１の後端寄り位置に配置されて横方向Ｘで対になっている。また、フロント支柱１４及びリア支柱１５は、共に前後方向Ｚより横方向Ｘが薄くなった板状をなしている。そして、タグ挿入スリット１３からタグ収容枠１１内に挿入されたＩＣタグ９０が、フロント支柱１４群とリア支柱１５群との間に前後方向Ｚから挟まれて保持される。
【００１９】
より具体的には、複数のフロント支柱１４は、タグ収容枠１１の横方向における一端寄り位置に１つと、他端寄り位置に１つと、中央部の２つの計４箇所に配置されている。また、複数のリア支柱１５は、タグ収容枠１１の横方向において、右側２つのフロント支柱１４，１４の中間位置と、左側２つのフロント支柱１４，１４の中間位置との２位置とにそれぞれ配置されている。
【００２０】
図４に示すように、全てのフロント支柱１４におけるＩＣタグ９０側の先端位置は、前後方向Ｚで同一になっている。また、両リア支柱１５，１５の間でも、それらリア支柱１５，１５におけるＩＣタグ９０側の先端位置は、前後方向Ｚで同一になっている。そして、それらフロント支柱１４の先端位置と、リア支柱１５の先端位置との前後方向Ｚにおける間隔が、丁度、ＩＣタグ９０の厚さｔ１と一致している。これにより、ＩＣタグ９０は、フロント支柱１４群とリア支柱１５群とにより前後方向から挟まれた状態で平坦な形状になって保持される。
【００２１】
また、ＩＣタグ９０は、フロント支柱１４及びリア支柱１５に保持されることで、タグ収容枠１１内において前後方向Ｚの中心部より前端寄り位置（図４における下方寄り位置）に配置される。さらに、ＩＣタグ９０がフロント支柱１４及びリア支柱１５に保持されることで、ＩＣタグ９０における挿入方向の終端部９０Ｔは、タグ挿入スリット１３に対して前後方向Ｚでずれた位置に配置される。
【００２２】
リア支柱１５のうちＩＣタグ９０に突き合わされる側の先端縁部は、ＩＣタグ９０に接近するに従って横幅が狭くなった先細り形状になっている。その先細り形状にするためにリア支柱１５の先端縁部には、左右対称に傾斜面１５Ｓ，１５Ｓが形成されている。また、フロント支柱１４のうちＩＣタグ９０に突き合わされる側の先端縁部も同様に先細り形状になっており、１対の傾斜面１４Ｓ，１４Ｓを備えている。さらに、タグ挿入スリット１３に近い側のリア支柱１５の一方の傾斜面１５Ｓは、前後方向Ｚでタグ挿入スリット１３と略同一位置に配置され、横方向Ｘで対向している。
【００２３】
図２（Ｂ）に示すように、１対のリア支柱１５，１５には、取付支持脚１６，１６が一体形成されている。これら各取付支持脚１６は、リア支柱１５から後方に延設された突壁１６Ｔの先端部を直角曲げして当接壁１６Ａを設け、それら突壁１６Ｔと当接壁１６Ａとの間を補強リブ１６Ｂにて接続した構造なっている。また、当接壁１６Ａには、取付孔１６Ｃが貫通形成されている。
【００２４】
本実施形態の構成に関する説明は以上である。次に、本実施形態の作用効果について説明する。ＩＣタグ９０にて管理される管理対象物の一例として図５に示したパレット８０が挙げられる。このパレット８０には、例えば１対のフォーク挿入孔８２，８２の間の外側面に、ＩＣタグホルダ１０を固定するためのホルダ固定凹部８１が陥没形成されている。図６に示すように、ＩＣタグホルダ１０は、ホルダ固定凹部８１の奥面に取付支持脚１６の当接壁１６Ａを押し当て、取付孔１６Ｃに挿通したリベット１７にてパレット８０に固定される。また、パレット８０のうちホルダ固定凹部８１に固定されたタグ収容枠１１と横方向Ｘで対向する部分には溝部８３が形成され、その溝部８３を通してＩＣタグホルダ１０のタグ挿入スリット１３がフォーク挿入孔８２の内部空間に臨んでいる。
【００２５】
パレット８０に固定されたＩＣタグホルダ１０にＩＣタグ９０を装着するには、例えば、フォーク挿入孔８２側からＩＣタグ９０をタグ挿入スリット１３に挿入する。すると、ＩＣタグ９０における挿入方向の先端部９０Ｓが、１つのフロント支柱１４を通過してから一方のリア支柱１５の傾斜面１５Ｓに当接する（図示せず）。この状態でＩＣタグ９０を押し込むとその先端部９０Ｓが傾斜面１５Ｓに摺接し、ＩＣタグ９０が湾曲しながらそのリア支柱１５の前側に乗り上がる。さらに、ＩＣタグ９０を挿入すると、タグ挿入スリット１３から２つに目のフロント支柱１４に横方向Ｘから当接する。そこで、ＩＣタグ９０の先端部９０Ｓを作業者が後側に押して、２つ目と３つ目のフロント支柱１４，１４の後ろ側を通過させる。すると、ＩＣタグ９０の挿入方向の先端側が図６に示すように横方向Ｘと平行になる。この状態でＩＣタグ９０をさらに押し込むと、ＩＣタグ９０の先端部９０Ｓが２つ目のリア支柱１５の前側と４つ目のフロント支柱１４の後側を通過する。
【００２６】
そして、ＩＣタグ９０がタグ挿入スリット１３を通過すると、図４に示すように、ＩＣタグ９０が弾性復元して平坦な形状に戻ると共に、ＩＣタグ９０がフロント支柱１４群とリア支柱１５群とによって前後方向Ｚで挟まれて位置決めされる。このとき、ＩＣタグ９０における挿入方向の終端部９０Ｔは、前後方向Ｚでずれた位置に保持され、タグ挿入スリット１３からのＩＣタグ９０の離脱が防止される。これらにより、タグ収容枠１１内の縦、横、前後の全ての方向でＩＣタグ９０の移動が規制されると共に、図２（Ａ）及び図２（Ｂ）に示すように、タグ収容枠１１の前面又は後面のうちフロント支柱１４及びリア支柱１５以外の部分で、ＩＣタグ９０の前面９０Ｆ及び後面９０Ｂがタグ収容枠１１から露出する。そして、図６に示すように、タグ収容枠１１における後端面１１ＲからＩＣタグ９０迄の距離Ｌ１と、タグ収容枠１１における後端面１１Ｒから取付支持脚１６の先端面までの距離Ｌ２とをを合わせた距離Ｌ３だけ、ＩＣタグ９０が前後方向Ｚにおいて管理対象物（パレット８０）の壁面から離される。
【００２７】
ここで、ＩＣタグ９０は、上述したように、コイルアンテナ９２を備えている。そして、そのコイルアンテナ９２は、ＩＣタグ９０を前後方向Ｚに貫通する電磁波から情報及び電力を取得する。これに対し、本実施形態のＩＣタグホルダ１０の構成によれば、ＩＣタグ９０を前後方向Ｚで挟持する部材が、タグ収容枠１１の対向辺間に差し渡されたフロント支柱１４及びリア支柱１５で構成されているので、図１５に示した従来のＩＣタグホルダのようにカード収容凹部２の奥壁２ＡがＩＣタグ４の後面全体に対して密着するものより、ＩＣタグ９０との密着部分を減らすことができ、無線性能への影響を従来より低減させることが可能になる。しかも、それらフロント支柱１４及びリア支柱１５のうちＩＣタグ９０との対向部分は、先細り形状になっているのでＩＣタグ９０との接触面積をより一層低減することができる。そして、タグ挿入スリット１３の案内により、ＩＣタグ９０をタグ収容枠１１内に装着することができるので、ＩＣタグ９０の装着作業を従来より容易に行うことができる。また、ＩＣタグ９０との接触面積を減らす先細り形状にするための傾斜面１５Ｓが、ＩＣタグ９０に摺接してタグ収容枠１１内の収容位置に案内する案内面を兼ねているので、タグ挿入スリット１３と傾斜面１５Ｓとの協働によりＩＣタグ９０をタグ収容枠１１内にスムーズに挿入することができる。
［第２実施形態］
【００２８】
本実施形態のＩＣタグホルダ１０Ａは、図７に示されており、中央の２つのフロント支柱１４Ｖ，１４Ｖの構成のみが前記第１実施形態と異なっている。即ち、本実施形態のＩＣタグホルダ１０Ａでは、４つのフロント支柱１４，１４Ｖ，１４Ｖ，１４のうち中央の２つのフロント支柱１４Ｖ，１４ＶにおけるＩＣタグ９０側の先端位置が、横方向Ｘの両端部のフロント支柱１４，１４におけるＩＣタグ９０側の先端位置より後ろ側（リア支柱１５側）にずれている。この構成により、ＩＣタグ９０は、フロント支柱１４，１４Ｖ群とリア支柱１５群との間で、湾曲形状に弾性変形された状態で保持される。そして、その弾発力によりＩＣタグ９０がリア支柱１５、フロント支柱１４，１４Ｖの先端縁部に押し付けられ、タグ収容枠１１内におけるＩＣタグ９０のがたつきが防止される。
［第３実施形態］
【００２９】
本実施形態のＩＣタグホルダ１０Ｂは、図８及び図９に示されており、主としてタグ挿入スリット１３Ｘ及び追加リア支柱１８の構成が前記第１実施形態と異なる。即ち、本実施形態のＩＣタグホルダ１０Ｂに備えたタグ挿入スリット１３Ｘ内には、図９（Ａ）に示すように横方向Ｘに対して前側に傾斜したスリット内面１３Ａと、横方向Ｘに対して平行になったスリット内面１３Ｂとが備えられている。そして、タグ挿入スリット１３Ｘの奥部における両スリット内面１３Ａ，１３Ｂ同士の間隔がＩＣタグ９０の厚さと略同一になっている。
【００３０】
図８に示すように、追加リア支柱１８は、タグ挿入スリット１３Ｘ側のフロント支柱１４に対して斜め後方位置に配置されている。また、追加リア支柱１８の先端面は、横方向Ｘと平行な平坦面１８Ａになっている。これに対し、タグ挿入スリット１３Ｘ側のフロント支柱１４は、先端部に傾斜面１４Ｃを有して先細り形状になっている。その傾斜面１４Ｃは、フロント支柱１４の先端部のうちタグ挿入スリット１３Ｘ側にのみ形成され、タグ挿入スリット１３Ｘ側から離れた側には、横方向Ｘと平行になった平坦面１４Ａが形成されている。
【００３１】
本実施形態の構成によれば、図９（Ａ）に示すように、タグ挿入スリット１３Ｘ内のスリット内面１３Ａに案内されたＩＣタグ９０の先端部９０Ｓが、フロント支柱１４の傾斜面１４Ｃに当接する。そして、ＩＣタグ９０を押し込むと、傾斜面１４Ｃの案内により、ＩＣタグ９０の先端部９０Ｓがフロント支柱１４の平坦面１４Ａと追加リア支柱１８の平坦面１８Ａとの間に挿入される。
【００３２】
すると、フロント支柱１４の平坦面１４Ａと追加リア支柱１８の平坦面１８Ａとの案内によりＩＣタグ９０が平坦かつ横方向Ｘと平行になり、残りのフロント支柱１４群とリア支柱１５群との間に挿入されていく。即ち、本実施形態の構成によれば、ＩＣタグ９０がタグ挿入スリット１３Ｘを通過する過程で、そのタグ挿入スリット１３Ｘを有するタグ収容枠１１の一辺とフロント支柱１４及び追加リア支柱１８とが協働してＩＣタグ９０を弾性変形させる。そして、ＩＣタグ９０がタグ挿入スリット１３Ｘを通過したときにＩＣタグ９０の弾性復元によりＩＣタグ９０の終端部９０Ｔがタグ挿入スリット１３Ｘに対して前後方向Ｚでずれて抜け止めされる。これにより、本実施形態ではＩＣタグ９０のタグ収容枠１１内への挿入作業が容易になる。
【００３３】
［第４実施形態］
本実施形態のＩＣタグホルダ１０Ｖは、図１０に示されており、前記第１実施形態における複数のフロント支柱１４を全て排除し、代わりに１対のタグ縁部対向突壁１４Ｘ，１４Ｘを備えた構造になっている点のみが第１実施形態と異なる。これら１対のタグ縁部対向突壁１４Ｘ，１４Ｘは、タグ収容枠１１のうち縦方向Ｙで対向する内面から突出しかつ横方向Ｘに延びている。また、これらタグ縁部対向突壁１４Ｘ，１４Ｘは、ＩＣタグ９０における前面９０Ｆの上縁部と下縁部のみに対向している。
【００３４】
本実施形態の構成によれば、ＩＣタグ９０における前面９０Ｆの中央部全体がタグ収容枠１１の前方に開放した状態になるので、タグ収容枠１１にＩＣタグ９０を収容した状態でそのＩＣタグ９０の中央部に識別番号等の情報を、例えば、印字、手書き等により記入することができる。
【００３５】
［第５実施形態］
本実施形態のＩＣタグホルダ１０Ｗは、図１１及び図１２に示されており、前記第１実施形態のＩＣタグホルダ１０に対して取付支持脚１６を排除し、タグ収容枠１１の上面に弾性係止部材２３を備えた点が異なる。即ち、本実施形態のＩＣタグホルダ１０Ｗでは、タグ収容枠１１の上辺を構成する長辺構成壁１２Ｕにスリットを形成することで、その長辺構成壁１２Ｕの一部を横方向Ｘに延びた片持ち梁２３Ｃとして切り離し、その片持ち梁２３Ｃの先端から上方に係止突部２３Ｔを突出形成して弾性係止部材２３が構成されている。また、弾性係止部材２３は、タグ収容枠１１の前後方向ＺのうちＩＣタグ９０が保持される部分より後ろ側にずらして配置され、タグ収容枠１１の内側に弾性変形してもタグ収容枠１１内のＩＣタグ９０とが干渉しないようになっている。さらに、弾性係止部材２３の係止突部２３Ｔのうち横方向Ｘにおける一方側の面は、長辺構成壁１２Ｕの外面から徐々に上方に立ち上がった傾斜面２３Ａになっており、他方側の面は、長辺構成壁１２Ｕの上面と直交した係止面２３Ｂになっている。そして、その傾斜面２３Ａがタグ収容枠１１のうちタグ挿入スリット１３を有する側を向いている。
【００３６】
一方、ＩＣタグホルダ１０Ｗが取り付けられる管理対象物８０Ｗ（パレット、コンテナ等）の壁面８０Ｈには、ホルダ装着部８８が形成されている。このホルダ装着部８８は、平行になって横方向Ｘに延びた１対のホルダ取付壁８５，８５と、それらホルダ取付壁８５，８５の一端部間に連絡された終端壁８７とで構成されている。各ホルダ取付壁８５は、管理対象物８０Ｗの壁面８０Ｈから直立した起立壁８５Ｘと、その先端から直角内側に折り曲げられた前面壁８５Ｙとからなり、断面がＬ字形になっている。また、一方のホルダ取付壁８５の起立壁８５Ｘには、ＩＣタグホルダ１０Ｗに弾性係止部材２３に対応して係止孔８６が貫通形成されている。
【００３７】
ＩＣタグホルダ１０Ｗは、図１１に示すように、タグ挿入スリット１３を有した側を先頭にして、ホルダ装着部８８の両ホルダ取付壁８５，８５間に挿入される。その過程で弾性係止部材２３の傾斜面２３Ａがホルダ取付壁８５の端部に摺接して弾性係止部材２３が弾性変形する。そして、ＩＣタグホルダ１０Ｗがホルダ装着部８８の奥部まで押し込まれると、図１２に示すように、係止突部２３Ｔが係止孔８６内に突入して弾性係止部材２３が弾性復元する。これにより、係止突部２３Ｔの係止面２３Ｂが係止孔８６の内面に係止し、ＩＣタグホルダ１０Ｗがホルダ装着部８８内に抜け止めされる。
【００３８】
このように本実施形態の構成によれば、ＩＣタグホルダ１０Ｗを管理対象物８０Ｗにおける１対のホルダ取付壁８５，８５の間に押し込むだけで、弾性係止部材２３が弾性変形を乗り越えてホルダ取付壁８５に係止して、ＩＣタグホルダ１０Ｗが管理対象物８０Ｗに固定される。即ち、ＩＣタグホルダ１０Ｗの管理対象物８０Ｗへの取付作業が容易になる。また、ＩＣタグホルダ１０Ｗがホルダ取付壁８５，８５の間に取り付けられると、タグ挿入スリット１３が管理対象物８０Ｗの終端壁８７によって塞がれるので、ＩＣタグ９０の保持も強固になる。
【００３９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４０】
（１）前記第３実施形態のＩＣタグホルダ１０Ｂは、ＩＣタグ９０がタグ挿入スリット１３Ｘを通過する過程で、そのタグ挿入スリット１３Ｘを有するタグ収容枠１１の一辺とフロント支柱１４及び追加リア支柱１８とが協働してＩＣタグ９０を弾性変形させる構成であったが。図１３（Ａ）及び図１４（Ａ）に示すように、タグ挿入スリット２０をＩＣタグ９０の挿入方向と直交する方向で湾曲した形状にしておき、図１３（Ｂ）に示すように、そのタグ挿入スリット２０を通過する過程でＩＣタグ９０を弾性変形させ、ＩＣタグ９０がタグ挿入スリット２０を通過したときに、図１４（Ｂ）に示すようにＩＣタグ９０が弾性復元して、ＩＣタグ９０がタグ挿入スリット２０に対して部分的にずれる構成としてもよい。
【００４１】
（２）本発明に係るＩＣタグホルダは、接着剤によって管理対象物に固定してもよい。
【００４２】
（３）前記第４実施形態のＩＣタグホルダ１０Ｖは、前側にのみタグ縁部対向突壁１４Ｘ，１４Ｘを備えて、後ろ側にはリア支柱１５，１５を備えていたが、それらリア支柱１５，１５に代えて後ろ側もタグ縁部対向突壁１４Ｘ，１４Ｘにしてもよい。
【図面の簡単な説明】
【００４３】
【図１】本発明の第１実施形態に係るＩＣタグ及びＩＣタグホルダの斜視図
【図２】ＩＣタグを保持した状態のＩＣタグホルダの斜視図
【図３】ＩＣタグホルダの一部破断斜視図
【図４】ＩＣタグホルダの平断面図
【図５】管理対象物としてのパレットの斜視図
【図６】パレットに取り付けられたＩＣタグホルダの平断面図
【図７】第２実施形態のＩＣタグホルダの平断面図
【図８】第３実施形態のＩＣタグホルダの平断面図
【図９】その一部拡大平断面図
【図１０】第４実施形態のＩＣタグホルダの斜視図
【図１１】第５実施形態のＩＣタグホルダ及びホルダ装着部の斜視図
【図１２】ホルダ装着部に装着されたＩＣタグホルダの斜視図
【図１３】変形例のＩＣタグホルダの斜視図
【図１４】変形例のＩＣタグホルダを下方から見た断面図
【図１５】従来のＩＣタグホルダの斜視図
【符号の説明】
【００４４】
１０，１０Ａ，１０Ｂ，１０Ｖ，１０Ｗ    タグホルダ
１１    タグ収容枠
１３，１３Ｘ，２０    タグ挿入スリット
１４，１４Ｖ    フロント支柱
１４Ｓ，１５Ｓ    傾斜面
１４Ｘ    タグ縁部対向突壁
１５    リア支柱
１６    取付支持脚
１８    追加リア支柱
２０    タグ挿入スリット
２３    弾性係止部材
８０    パレット（管理対象物）
８０Ｗ  管理対象物
８５    ホルダ取付壁
９０  ＩＣタグ
９０Ｓ  先端部
９０Ｔ  終端部
【図１】
2008191968.tif 000003
【図２】
2008191968.tif 000004
【図３】
2008191968.tif 000005
【図４】
2008191968.tif 000006
【図５】
2008191968.tif 000007
【図６】
2008191968.tif 000008
【図７】
2008191968.tif 000009
【図８】
2008191968.tif 000010
【図９】
2008191968.tif 000011
【図１０】
2008191968.tif 000012
【図１１】
2008191968.tif 000013
【図１２】
2008191968.tif 000014
【図１３】
2008191968.tif 000015
【図１４】
2008191968.tif 000016
【図１５】
2008191968.tif 000017